【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
モジュール式制御システムであって、
前記モジュール式制御システムの制御論理を実施するモジュール式コントローラであって、分散型制御システムのプラットフォーム上にネイティブに構築される、モジュール式コントローラと、
前記制御論理に従って、プロセスプラント内で物理的機能を行うように構成された機器と、
前記モジュール式制御システムの構成パラメータを格納する構成データベースと、
を備え、
第１の動作モードでは、前記モジュール式制御システムが、スタンドアローンモジュールとして動作し、
第２の動作モードでは、前記モジュール式制御システムが、分散型制御システムの１つまたは複数のノードとしてネイティブに動作する、
モジュール式制御システム。
【請求項２】
前記モジュール式コントローラが、前記分散型制御システムで動作するコントローラと、少なくとも１つのソフトウェア層を共有する、請求項１に記載のモジュール式制御システム。
【請求項３】
前記モジュール式コントローラが、前記分散型制御システムの専用通信プロトコルを実施する、請求項１に記載のモジュール式制御システム。
【請求項４】
前記モジュール式コントローラ、前記機器、及び前記構成データベースを収容する物理的フレームであって、前記モジュール式制御システムが、単一のユニットとして運搬可能なスキッドマウントシステムである、物理的フレームをさらに備える、請求項１に記載のモジュール式制御システム。
【請求項５】
前記機器が、パラメータ値を示す信号を生成し、前記モジュール式コントローラに前記信号を提供するセンサを含む、請求項４に記載のモジュール式制御システム。
【請求項６】
第１のネットワークアドレスを格納する第１のレジスタと、
第１のネットワークアドレスを格納する第２のレジスタと、をさらに備える、
請求項１に記載のモジュール式制御システム。
【請求項７】
前記第１のネットワークアドレスが、前記分散型制御システムのスキームに従って定義され、前記モジュール式コントローラが、前記分散型制御システムの他のノードから、前記第１のネットワークアドレスを用いてアドレス指定可能であり、
前記第２のネットワークアドレスが、前記モジュール式制御システムのスキームに従って定義され、前記モジュール式コントローラが、前記モジュール式制御システムの専用通信プロトコルをサポートするノードから、前記第２のネットワークアドレスを用いてアドレス指定可能であり、
前記モジュール式制御システムの前記専用プロトコルが、前記分散型制御システムの通信プロトコルとは異なる、
請求項６に記載のモジュール式制御システム。
【請求項８】
前記分散型制御システムの構成パラメータを格納する集中型構成データベースと、
前記分散型制御システムの制御論理の少なくとも一部を実施する第１のコントローラと、
モジュール式制御システムの制御論理を実施する第２のコントローラであって、前記モジュール式制御システムが、
第１の動作モードでは、前記分散型制御システムとは独立しているスタンドアローンモジュールとして、
第２の動作モードでは、前記分散型制御システムの１つまたは複数のノードとして、
動作するように構成された、第２のコントローラと、
を備え、
前記第１のコントローラ及び前記第２のコントローラが、（ｉ）構成手順、（ｉｉ）セキュリティ機構、または（ｉｉｉ）通信プロトコルのうちの１つ以上を特定するソフトウェア層を共有する、
分散型プロセス制御システム。
【請求項９】
前記モジュール式制御システムが、前記モジュール式制御システムの前記制御論理に従って、プロセスプラント内で物理的機能を行うように構成された機器を含む、請求項８に記載の分散型プロセス制御システム。
【請求項１０】
前記モジュール式制御システムが、前記モジュール式制御システムの構成パラメータを格納する構成データベースをさらに含む、請求項９に記載の分散型プロセス制御システム。
【請求項１１】
前記モジュール式制御システムが、前記分散型制御システムの構成パラメータを格納する構成データベースを含み、前記分散型制御システムの前記構成パラメータのうちの少なくとも数個が、前記第２の動作モードにおいて前記集中型構成データベースにマージされる、請求項８に記載の分散型プロセス制御システム。
【請求項１２】
前記分散型制御システムの前記構成パラメータのうちの少なくとも数個が、前記第２の動作モードにおいて前記集中型構成データベースにマージされない、請求項８に記載の分散型プロセス制御システム。
【請求項１３】
分散型制御システムにモジュール式制御システムを統合する方法であって、
１つ以上のプロセッサによって、モジュール式制御システムが分散型プロセス制御システムのローカルエリアネットワークに通信可能に結合されていることを検出することであって、前記モジュール式制御システムが、スタンドアローンの動作モードにおいては、前
記モジュール式制御システムの制御論理を実施するモジュール式コントローラを含む、検出することと、
前記１つ以上のプロセッサによって、前記モジュール式制御ネットワークの構成データベースから、構成データを取り出すことと、
前記１つ以上のプロセッサによって、前記分散型プロセス制御システムの集中型構成データに問い合わせることを含む、前記分散型通信ネットワークの他のノードにおける構成アイテムと競合している構成アイテムを特定することと、
競合していると判定された前記構成アイテムのうちの少なくともいくつかを修正することと、
前記モジュール式制御ネットワークが前記分散型制御システムの１つまたは複数のノードとして動作できるように、前記モジュール式制御ネットワークの前記構成データを更新することと、
を含む、方法。
【請求項１４】
競合していると判定された前記構成アイテムのうちの少なくともいくつかを修正することが、前記構成アイテムのうちの前記少なくともいくつかの各々の先頭に共有プレフィックスを付加することを含む、請求項１３に記載の方法。
【請求項１５】
ユーザインターフェースを介して、オペレータから前記共有プレフィックスを受信することをさらに含む、請求項１４に記載の方法。
【請求項１６】
先頭に前記共有プレフィックスを付加することが、
前記共有プレフィックスとして用いられる、提案英数字列を自動的に生成することと、
前記提案英数字列を、ユーザインターフェースを介して、オペレータに提供することと、
を含む、請求項１４に記載の方法。
【請求項１７】
前記モジュール式制御システムが、前記ローカルエリアネットワーク上で検出された１つ以上の他のモジュール式制御システムに対して相対的に検出された順序に基づいて、前記提案英数字列を自動的に生成することをさらに含む、請求項１６に記載の方法。
【請求項１８】
前記モジュール式制御システムを検出することに応答して、前記１つ以上のプロセッサによって、
（ｉ）１つ以上のライセンスであって、これらを使用して前記モジュール式コントローラがセットアップされる、１つ以上のライセンスと、
（ｉｉ）前記モジュール式コントローラのノード構成と、
（ｉｉｉ）前記モジュール式コントローラのソフトウェアバージョンと、
（ｉｖ）前記モジュール式制御システムがセットアップされるロケールと、のうちの少なくとも１つを自動的に確認することと、
前記確認の結果を示す通知を提供することと、
をさらに含む、請求項１３に記載の方法。
【請求項１９】
前記ローカルエリアネットワークに通信可能に結合されているコンピュータ装置上で、前記分散型制御システムの前記集中型構成データへの、前記モジュール式制御システムの構成データのマージを促進するマージ支援を実行することと、をさらに含む、請求項１３に記載の方法。
【請求項２０】
前記特定された構成アイテムが、第１の構成アイテムであり、前記方法が、
前記分散型通信ネットワークの他のノードにおける構成アイテムと競合している第２の構成アイテムを特定することと、
前記第２の構成アイテムのアイテムタイプを確認することと、
前記第２の構成アイテムのタイプが、前記モジュール式制御システムに存続する構成アイテムに対応すると判定したことに応答して、前記第２の構成アイテムに関する警告を生成することと、をさらに含む、請求項１３に記載の方法。